(57)【要約】【課題】複数の無線通信ＬＳＩ用のアンテナを共用化可能にすることにより小型化する。【解決手段】実施形態の近接無線送受信装置は、第１の同調回路及び第１の変復調回路を含む第１の通信方式の第１の送受信部と、第２の同調回路及び第２の変復調回路を含む第２の通信方式の第２の送受信部と、前記第１及び第２の通信方式の通信信号が誘起するアンテナと、前記アンテナと前記第１の送受信部とを接続するか又は前記アンテナと前記第２の送受信部とを接続するためのスイッチ部と、前記第１及び第２の送受信部の受信状態を判定する受信判定部と、前記受信判定部の判定結果に応じて前記スイッチ部を制御するスイッチ切換部とを具備する。【選択図】図１
2015032957.tif 000002
【特許請求の範囲】
【請求項１】
第１の同調回路及び第１の変復調回路を含む第１の通信方式の第１の送受信部と、
第２の同調回路及び第２の変復調回路を含む第２の通信方式の第２の送受信部と、
前記第１及び第２の通信方式の通信信号が誘起するアンテナと、
前記アンテナと前記第１の送受信部とを接続するか又は前記アンテナと前記第２の送受信部とを接続するためのスイッチ部と、
前記第１及び第２の送受信部の受信状態を判定する受信判定部と、
前記受信判定部の判定結果に応じて前記スイッチ部を制御するスイッチ切換部と
を具備する近接無線送受信装置。
【請求項２】
前記スイッチ切換部は、前記第１及び第２の通信方式の通信信号が無信号状態である場合には、前記アンテナと前記第１又は第２の送受信部を所定時間で切換ながら接続し、前記第１及び第２の通信方式の通信信号の一方が前記第１又は第２の送受信部において受信中である場合には、前記アンテナと受信中の前記第１又は第２の送受信部とを接続する
請求項１に記載の近接無線送受信装置。
【請求項３】
前記受信判定部は、前記第１及び第２の変復調回路から前記第１又は第２の通信方式の通信信号を受信中であることを示す認識信号を受信することにより、前記第１及び第２の送受信部の受信状態を判定する
請求項１又は２に記載の近接無線送受信装置。
【請求項４】
前記受信判定部は、前記アンテナに接続されて、前記アンテナに誘起したキャリアの検出及び第１及び第２の通信方式の通信信号のうちの一方の通信信号を受信中であることの検出によって、前記第１及び第２の送受信部の受信状態を判定する
請求項１又は２に記載の近接無線送受信装置。
【請求項５】
前記受信判定部は、前記アンテナに接続されて前記アンテナに誘起したキャリアを検出すると共に、前記第１及び第２の変復調回路のうちの一方から前記第１又は第２の通信方式の通信信号を受信中であることを示す認識信号を受信することにより、前記第１及び第２の送受信部の受信状態を判定する
請求項１又は２に記載の近接無線送受信装置。
【発明の詳細な説明】
【技術分野】
【０００１】
本発明の実施形態は、近接無線送受信装置に関する。
【背景技術】
【０００２】
近年、携帯電話や無線タグ及び非接触ＩＣカード等の携帯可能な情報機器が普及してきている。これらの情報機器の非接触通信機能を利用して、駅の改札等を電子化する電子改札や電子マネー等が導入されている。
【０００３】
非接触通信を可能にする近距離無線通信技術として、特に米国や欧州においてはISO/IEC14443ＴｙｐｅＡ，ＴｙｐｅＢが普及しており、日本を含むアジアにおいては、ＦｅｌｉＣａ（登録商標）（フェリカ））が普及している。
【０００４】
ＮＦＣ（Near Field Communication）フォーラムは、ＴｙｐｅＡ、ＴｙｐｅＢ、ＴｙｐｅＦ（ＦｅｌｉＣａ方式）の無線通信プロトコルを国際規格として集約しており、この規格に基づき、ＴｙｐｅＡ／ＴｙｐｅＢ／ＴｙｐｅＦを１チップで実現する無線通信ＬＳＩも開発されている。しかし、ＮＦＣで定義されているＴｙｐｅＦはＦｅｌｉＣａと同じ無線通信技術であるが、ＦｅｌｉＣａはＩＣカードのアプリケーションまで含めた技術方式であるため、通常のＴｙｐｅＡ／ＴｙｐｅＢ／ＴｙｐｅＦの１チップ無線通信ＬＳＩではＦｅｌｉＣａを使った決済サービスは対応できない。
【０００５】
ＦｅｌｉＣａ機能を実現するためにはＦｅｌｉＣａ無線通信ＬＳＩとＦｅｌｉＣａ  ＳＥ（Secure Element）ＬＳＩで構成される専用のＦｅｌｉＣａ用の通信システムＬＳＩが必要である。ＳＥ  ＬＳＩは銀行の決済、交通機関の運賃支払い、建物の入出管理など個人情報を利用するサービスにおいて、データを安全に処理するためのセキュリティチップである。
【０００６】
非接触通信機能を搭載する携帯端末のメーカは、日本向けにはＦｅｌｉＣａ決済サービスに対応する必要があるため、携帯端末の仕向け地毎に別のＬＳＩ、即ち、ＴｙｐｅＡ／ＴｙｐｅＢ用の通信システムＬＳＩか又はＦｅｌｉＣａ用の通信システムＬＳＩを搭載する必要があり、費用や時間、手間が余計に発生する問題がある。
【０００７】
世界的に見るとＴｙｐｅＡ／ＴｙｐｅＢ用の通信システムＬＳＩが多く普及していることを考慮すると、ＦｅｌｉＣａ決済サービス対応のために新たな端末の開発を行わず、既存のＴｙｐｅＡ／ＴｙｐｅＢ用の通信システムＬＳＩをそのまま利用して、更にＦｅｌｉＣａ用の通信システムＬＳＩを加えた通信端末を構成することも有効であると考えられる。
【０００８】
しかしながら、非接触通信において採用される負荷変調においては、通信距離によっては搬送波振幅の変化が検出不能となるヌルが発生する。このヌルの発生を回避するために、アンテナの調整及び同調周波数の調整等を行う必要があり、ＴｙｐｅＡ／ＴｙｐｅＢ用とＦｅｌｉＣａ用のチップの外付け回路として、アンテナ及び同調回路を夫々個別に用意する必要があり、装置が大型化してしまう。
【先行技術文献】
【特許文献】
【０００９】
【特許文献１】特開２００７−３２８６３４号公報
【発明の概要】
【発明が解決しようとする課題】
【００１０】
本発明の実施形態は、複数の無線通信ＬＳＩ用のアンテナを共用化可能にすることにより、小型化することができる近接無線送受信装置を提供することを目的とする。
【課題を解決するための手段】
【００１１】
実施形態の近接無線送受信装置は、第１の同調回路及び第１の変復調回路を含む第１の通信方式の第１の送受信部と、第２の同調回路及び第２の変復調回路を含む第２の通信方式の第２の送受信部と、前記第１及び第２の通信方式の通信信号が誘起するアンテナと、前記アンテナと前記第１の送受信部とを接続するか又は前記アンテナと前記第２の送受信部とを接続するためのスイッチ部と、前記第１及び第２の送受信部の受信状態を判定する受信判定部と、前記受信判定部の判定結果に応じて前記スイッチ部を制御するスイッチ切換部とを具備する。
【図面の簡単な説明】
【００１２】
【図１】本発明の第１の実施の形態に係る近接無線送受信装置を示すブロック図。
【図２】第１の実施の形態の動作を説明するためのフローチャート。
【図３】スイッチ切換回路１１の動作を説明するための説明図。
【図４】本発明の第２の実施の形態に係る近接無線送受信装置を示すブロック図。
【図５】本発明の第３の実施の形態に係る近接無線送受信装置を示すブロック図。
【発明を実施するための形態】
【００１３】
以下、図面を参照して本発明の実施の形態について詳細に説明する。
【００１４】
（第１の実施の形態）
図１は本発明の第１の実施の形態に係る近接無線送受信装置を示すブロック図である。本実施の形態は、ＦｅｌｉＣａ用及びＴｙｐｅＡ／ＴｙｐｅＢ用の送受信装置に適用する例について説明するが、他の通信方式の送受信装置にも適用可能である。
【００１５】
本実施の形態は、ＴｙｐｅＡ／ＴｙｐｅＢ用及びＦｅｌｉＣａ用の外付け回路のうち、アンテナを共用化することにより、小型化を図るものである。
【００１６】
図１において、ＦｅｌｉＣａ通信用の通信部Ｆ１及びＴｙｐｅＡ／ＴｙｐｅＢ通信用の通信部Ｔ１は、いずれもＬＳＩ化されており、既存のＦｅｌｉＣａ用ＬＳＩチップ及びＴｙｐｅＡ／ＴｙｐｅＢ用ＬＳＩチップを採用することができる。ＦｅｌｉＣａ用の通信部Ｆ１にはＦｅｌｉＣａ用の周辺回路Ｆ２が接続されており、ＴｙｐｅＡ／ＴｙｐｅＢの通信部Ｔ１にはＴｙｐｅＡ／ＴｙｐｅＢ用の周辺回路Ｔ２が接続されている。
【００１７】
ＦｅｌｉＣａ用の周辺回路Ｆ２及びアンテナ３によってＦｅｌｉＣａ用の外付け回路Ｆ４が構成され、ＴｙｐｅＡ／ＴｙｐｅＢ用の周辺回路Ｔ２及びアンテナ３によってＴｙｐｅＡ／ＴｙｐｅＢ用の外付け回路Ｔ４が構成されており、アンテナ３は共用化されている。
【００１８】
アンテナ３を共用化するために、ＦｅｌｉＣａ用の外付け回路Ｆ４及びＴｙｐｅＡ／ＴｙｐｅＢ用の外付け回路Ｔ４には、夫々ＦｅｌｉＣａ通信用のスイッチＩＣＦ５及びＴｙｐｅＡ／ＴｙｐｅＢ通信用のスイッチＩＣＴ５が設けられる。
【００１９】
アンテナ３には、ＦｅｌｉＣａ用の高周波信号及びＴｙｐｅＡ／ＴｙｐｅＢ用の高周波信号が誘起する。アンテナ３に誘起したＦｅｌｉＣａ用の高周波信号はＦｅｌｉＣａ通信用のスイッチＩＣＦ５を介して周辺回路Ｆ２に供給され、アンテナ３に誘起したＴｙｐｅＡ／ＴｙｐｅＢ用の高周波信号はＴｙｐｅＡ／ＴｙｐｅＢ通信用のスイッチＩＣＴ５を介して周辺回路Ｔ２に供給される。
【００２０】
周辺回路Ｆ２，Ｔ２は、同調回路により構成されており、夫々ＦｅｌｉＣａ用又はＴｙｐｅＡ／ＴｙｐｅＢ用の高周波信号を受信する。また、周辺回路Ｆ２，Ｔ２には、負荷変調における負荷回路が構成されている。
【００２１】
通信部Ｆ１は、ＦｅｌｉＣａ用のＣＬＦ（ContactLess Front-end）回路Ｆ１ａ及びＳＥ(Secure Element)回路Ｆ１ｂによって構成されている。また、通信部Ｔ１は、ＴｙｐｅＡ／ＴｙｐｅＢ用のＣＬＦ回路Ｔ１ａ及びＳＥ回路Ｔ１ｂによって構成されている。
【００２２】
ＣＬＦ回路Ｆ１ａ，Ｔ１ａは、周辺回路Ｆ２，Ｔ２を夫々介した非接触通信を可能にするものであり、周辺回路Ｆ２，Ｔ２からの信号を例えば包絡線検波によってＲＦ復調処理すると共に、周辺回路Ｆ２，Ｔ２の負荷回路を制御することで負荷変調による送信処理を行う。
【００２３】
ＳＥ回路Ｆ１ｂは、ＣＬＦ回路Ｆ１ａからの受信信号の復号化処理を行ってデータを図示しないメモリに記憶させると共に、メモリに記憶された送信情報の暗号化処理を行って、ＣＬＦ回路Ｆ１ａに出力する。また、ＳＥ回路Ｔ１ｂは、ＣＬＦ回路Ｔ１ａからの受信信号の復号化処理を行うと共に、送信信号を暗号化処理した後ＣＬＦ回路Ｔ１ａに出力する。
【００２４】
なお、通信部Ｆ１，Ｔ１は、図示しないホストコンピュータに接続されることもある。ホストコンピュータは、ＳＥ回路Ｆ１ｂ，Ｔ１ｂのメモリに記憶されている情報を読み出すことが可能である。また、図１の装置は、非接触ＩＣカードとして機能するだけでなく、リーダ／ライタとして機能させることも可能である。この場合には、通信部Ｆ１，Ｔ１は、ホストコンピュータによってＣＬＦ回路Ｆ１ａ，Ｔ１ａが制御されて、データのリード及びライトを行う。
【００２５】
本実施の形態においては、上述したように、アンテナ３をＦｅｌｉＣａ用とＴｙｐｅＡ／ＴｙｐｅＢ用とで共用しており、周辺回路Ｆ２，Ｔ２において高精度の同調動作を可能にするためには、ＦｅｌｉＣａ用の回路とＴｙｐｅＡ／ＴｙｐｅＢ用の回路とを分離する必要がある。スイッチＩＣＦ５，Ｔ５はこのような分離のために設けられており、スイッチＩＣＦ５がオンとなることによって、アンテナ３はＦｅｌｉＣａ通信用として機能し、スイッチＩＣＴ５がオンとなることによって、アンテナ３はＴｙｐｅＡ／ＴｙｐｅＢ通信用として機能する。
【００２６】
スイッチ切換回路１１は、スイッチＩＣＦ５，Ｔ５のオン，オフを切換えるための切換信号を出力する。この切換信号は、直接スイッチＩＣＴ５に供給されると共に、インバータ１２によって反転されてスイッチＩＣＦ５に与えられる。この切換信号によって、スイッチＩＣＦ５，Ｔ５は、一方がオンの場合に他方がオフとなるように構成される。切換信号によってスイッチＩＣＦ５がオンの場合には、アンテナ３は周辺回路Ｆ２に接続されることになり、ＦｅｌｉＣａの機能が実現可能となる。逆に、スイッチＩＣＴ５がオンの場合には、アンテナ３は周辺回路Ｔ２に接続されることになり、ＴｙｐｅＡ／ＴｙｐｅＢの機能が実現可能となる。
【００２７】
本実施の形態においては、スイッチ切換回路１１は、受信判定回路１３の出力に基づいてスイッチＩＣＦ５，Ｔ５を制御するようになっており、ＦｅｌｉＣａ機能を実現すべき場合にスイッチＩＣＦ５をオンにさせ、ＴｙｐｅＡ／ＴｙｐｅＢ機能を実現すべき場合にはスイッチＩＣＴ５をオンにさせるようになっている。
【００２８】
受信判定回路１３は、通信部Ｆ１，Ｔ１から認識信号が入力される。ＦｅｌｉＣａ用の通信部Ｆ１は、ＣＬＦ回路Ｆ１ａの復調処理によって得られた信号に、ＦｅｌｉＣａ信号に含まれる認識信号（プリアンブル等）が含まれていることを検出した場合には、ＦｅｌｉＣａ信号を受信したことを示すビットを論理値“１”にする。本実施の形態においては、論理値“１”の信号が認識信号として受信判定回路１３に供給されるようになっている。また、ＴｙｐｅＡ／ＴｙｐｅＢ用の通信部Ｔ１も同様に、ＲＦ復調処理の結果、ＴｙｐｅＡ／ＴｙｐｅＢ信号を受信したことを検出した場合には、ＴｙｐｅＡ／ＴｙｐｅＢ信号を受信したことを示す認識信号を受信判定回路１３に供給するようになっている。受信判定回路１３は、認識信号によって、ＦｅｌｉＣａ信号とＴｙｐｅＡ／ＴｙｐｅＢ信号のいずれの信号が受信されているか、又は無信号状態であるかを判定して、判定結果をスイッチ切換回路１１に出力する。
【００２９】
スイッチ切換回路１１は、所定のタイミングでスイッチＩＣＦ５，Ｔ５を切換制御することにより、ＦｅｌｉＣａ信号及びＴｙｐｅＡ／ＴｙｐｅＢ信号の両方の信号を時分割で受信可能にすると共に、受信判定回路１３の判定結果によってＦｅｌｉＣａ信号又はＴｙｐｅＡ／ＴｙｐｅＢ信号のいずれかの信号が受信中であることが示された場合には、当該受信中の信号の通信が継続して行われるように、スイッチＩＣＦ５，Ｔ５の切換制御を行うようになっている。
【００３０】
なお、通信部Ｆ１，Ｔ１には、電源部１４から電源電圧が供給されるようになっている。
【００３１】
次に、このように構成された実施の形態の動作について図２及び図３を参照して説明する。図２は第１の実施の形態の動作を説明するためのフローチャートであり、図３はスイッチ切換回路１１の動作を説明するための説明図である。
【００３２】
図２のステップＳ１においては、スイッチ切換回路１１によって、いずれか一方のスイッチＩＣが選択的にオンに設定される。図２の例では、先ず、ＦｅｌｉＣａ信号通信用のスイッチＩＣＦ５が選択される。次のステップＳ２では、ＦｅｌｉＣａ信号が受信されているか否かが判定される。
【００３３】
通信部Ｆ１，Ｔ１のＣＬＦ回路Ｆ１ａ，Ｔ１ａは、夫々ＦｅｌｉＣａ信号又はＴｙｐｅＡ／ＴｙｐｅＢ信号を受信すると、認識信号を受信判定回路１３に出力する。受信判定回路１３は、通信部Ｆ１から認識信号を受信すると、ＦｅｌｉＣａ信号が受信されたことを示す判定結果を出力し、通信部Ｔ１から認識信号を受信すると、ＴｙｐｅＡ／ＴｙｐｅＢ信号が受信されたことを示す判定結果を出力する。
【００３４】
スイッチ切換回路１１は、受信判定回路１３の判定結果によって、ＦｅｌｉＣａ信号を受信しているか、ＴｙｐｅＡ／ＴｙｐｅＢ信号を受信しているか、又はいずれの信号も受信していないかを判定することができる。
【００３５】
いま、図３のタイミングＰ１の前の期間であるものとする。この場合には、ＦｅｌｉＣａ信号及びＴｙｐｅＡ／ＴｙｐｅＢ信号は受信されておらず、ステップＳ２及びステップＳ３において、ＮＯ判定となる。図３のタイミングＰ１までは、ＦｅｌｉＣａ信号及びＴｙｐｅＡ／ＴｙｐｅＢ信号のいずれも受信されていないので、この期間には処理はステップＳ４に移行して、現在オンに設定されているスイッチＩＣが判定される。
【００３６】
例えば、ＦｅｌｉＣａ受信用のスイッチＩＣＦ５がオンになっている場合には、スイッチ切換回路１１は、ステップＳ７において、ＦｅｌｉＣａ受信用スイッチＩＣＦ５を選択的にオンにする。これにより、アンテナ３を介してＦｅｌｉＣａの信号が受信可能状態となる。
【００３７】
スイッチＩＣＦ５，Ｔ５を切換えるためのスイッチ切換回路１１の判定は、図３に示すように、例えば、時間ｔ１又はｔ２毎に行われる。時間ｔ１，ｔ２としては、例えば０．５秒〜１秒程度が設定される。スイッチＩＣＦ５，Ｔ５の切換判定からｔ１又はｔ２時間が経過すると、ステップＳ９から処理がステップＳ２に戻り、ステップＳ２，Ｓ３において、ＦｅｌｉＣａ信号が受信中か否か、ＴｙｐｅＡ／ＴｙｐｅＢ信号が受信中か否かが順次判定される。
【００３８】
図３の無信号状態は、ＦｅｌｉＣａ信号及びＴｙｐｅＡ／ＴｙｐｅＢ信号のいずれも受信中ではないことを示しており、処理はステップＳ３からステップＳ４に移行して、スイッチ切換回路１１は、ステップＳ７において、ＦｅｌｉＣａ受信用のスイッチＩＣＦ５を選択的にオンにする。以後、ステップＳ２〜Ｓ９の処理が繰り返されて、無信号時には、スイッチＩＣＦ５，Ｔ５が時間ｔ１又はｔ２間隔で切換えられる。こうして、無信号時には、ＦｅｌｉＣａ信号の受信とＴｙｐｅＡ／ＴｙｐｅＢ信号の受信とが、交互に切換えられる。
【００３９】
ここで、図１の装置がＴｙｐｅＡ／ＴｙｐｅＢ信号の受信可能領域に近接するものとする。そうすると、通信部Ｔ１のＣＬＦ回路Ｔ１ａから認識信号が出力され、受信判定回路１３は、ＴｙｐｅＡ／ＴｙｐｅＢ信号が受信されたことを示す判定結果をスイッチ切換回路１１に出力する。スイッチ切換回路１１は、ステップＳ３においてＴｙｐｅＡ／ＴｙｐｅＢ信号が受信中であるものと判定し、ステップＳ６において、ＴｙｐｅＡ／ＴｙｐｅＢ受信用のスイッチＩＣＴ５をオンにする。
【００４０】
スイッチ切換回路１１は、ＴｙｐｅＡ／ＴｙｐｅＢ信号の受信中は、時間ｔ２毎に、ステップＳ２、ステップＳ３又はステップＳ４の判定を行う。図３のタイミングＰ１〜タイミングＰ２の期間においては、ＴｙｐｅＡ／ＴｙｐｅＢ信号が受信されており、スイッチ切換回路１１は、この期間において、スイッチＩＣＴ５をオンにし、スイッチＩＣＦ５をオフにする。これにより、ＴｙｐｅＡ／ＴｙｐｅＢ信号が継続して受信される。
【００４１】
通信部Ｔ１は、受信信号の復調処理及び復号化処理を行う。また、通信部Ｔ１は、メモリに記憶された情報を暗号化して、ＣＬＦ回路Ｔ１ａによる負荷変調によって、アンテナ３からＴｙｐｅＡ／ＴｙｐｅＢ信号の送信元に必要な情報の送信を行う。
【００４２】
ここで、図１の装置がＴｙｐｅＡ／ＴｙｐｅＢ信号の受信可能領域から遠ざかるものとする。そうすると、通信部Ｔ１のＣＬＦ回路Ｔ１ａからの認識信号の出力が停止し、受信判定回路１３は、ＴｙｐｅＡ／ＴｙｐｅＢ信号が受信されなくなったことを示す判定結果をスイッチ切換回路１１に出力する。例えば、図３のタイミングＰ２からタイミングＰ３の期間においては、無信号状態であり、受信判定回路１３からは、ＴｙｐｅＡ／ＴｙｐｅＢ信号だけでなくＦｅｌｉＣａ信号についても受信していないことを示す判定結果が出力される。
【００４３】
これにより、スイッチ切換回路１１は、ステップＳ４，Ｓ７，Ｓ８，Ｓ９によって、時間ｔ１又はｔ２毎に、スイッチＩＣＦ５，Ｔ５を交互にオンにする。こうして、無信号時には、ＦｅｌｉＣａ信号の受信とＴｙｐｅＡ／ＴｙｐｅＢ信号の受信とが、交互に切換えられる。
【００４４】
次に、図１の装置がＦｅｌｉＣａ信号の受信可能領域に近接するものとする。そうすると、通信部Ｆ１のＣＬＦ回路Ｆ１ａから認識信号が出力され、受信判定回路１３は、ＦｅｌｉＣａ信号が受信されたことを示す判定結果をスイッチ切換回路１１に出力する。スイッチ切換回路１１は、ステップＳ２においてＦｅｌｉＣａ信号が受信中であるものと判定し、ステップＳ５において、ＦｅｌｉＣａ信号受信用のスイッチＩＣＦ５をオンにする。
【００４５】
スイッチ切換回路１１は、ＦｅｌｉＣａ信号の受信中は、時間ｔ１毎に、ステップＳ２、ステップＳ３又はステップＳ４の判定を行う。図３のタイミングＰ３から所定期間においては、ＦｅｌｉＣａ信号が受信されており、スイッチ切換回路１１は、この期間において、スイッチＩＣＦ５をオンにし、スイッチＩＣＴ５をオフにする。これにより、ＦｅｌｉＣａ信号が継続して受信される。
【００４６】
通信部Ｆ１は、受信信号の復調処理及び復号化処理を行う。また、通信部Ｆ１は、メモリに記憶された情報を暗号化して、ＣＬＦ回路Ｆ１ａによる負荷変調によって、アンテナ３からＦｅｌｉＣａ信号の送信元に必要な情報の送信を行う。
【００４７】
以後、ステップＳ２〜Ｓ９が繰り返され、受信状態に応じて、ＦｅｌｉＣａ通信用のスイッチＩＣＦ５又はＴｙｐｅＡ／ＴｙｐｅＢ通信用のスイッチＩＣＴ５が選択されることで、アンテナ３を共用化しながら、ＦｅｌｉＣａ信号及びＴｙｐｅＡ／ＴｙｐｅＢ信号の送受信が行われる。
【００４８】
なお、スイッチ切換回路１１による切換判定の時間ｔ１，ｔ２を適宜設定することにより、システムの要求に応じた応答速度を実現することができる。
【００４９】
また、スイッチ切換回路１１からの切換信号を用いて、電源部１４から通信部Ｆ１，Ｔ１に供給する電源電圧のオン，オフを制御することも可能である。例えば、受信されていない信号用の通信部Ｆ１，Ｔ１への電力供給を停止させるように制御することも可能であり、消費電力を抑制することが可能である。
【００５０】
このように本実施の形態においては、ＦｅｌｉＣａ通信のための回路とＴｙｐｅＡ／ＴｙｐｅＢ通信のための回路においてアンテナを共用化すると共に、ＦｅｌｉＣａ通信用のスイッチＩＣのオンとＴｙｐｅＡ／ＴｙｐｅＢ通信用のスイッチＩＣのオンとを切換えて、ＦｅｌｉＣａ信号とＴｙｐｅＡ／ＴｙｐｅＢ信号とを交互に受信可能とすると共に、通信部からの受信を確認する認識信号によって受信中であることが示された場合には、当該受信された信号受信用のスイッチＩＣをオンに固定する。これにより、アンテナを共用化した場合でも、ＦｅｌｉＣａ信号の送受信及びＴｙｐｅＡ／ＴｙｐｅＢ信号の送受信が可能となる。
【００５１】
（第２の実施の形態）
図４は本発明の第２の実施の形態に係る近接無線送受信装置を示すブロック図である。図４において図１と同一の構成要素には同一符号を付して説明を省略する。
【００５２】
近接無線送受信を行うチップの中には、ＦｅｌｉＣａ用のＬＳＩのように認識信号を出力可能なチップだけでなく、このような認識信号を出力することができないチップも考えられる。本実施の形態は、この場合においてもアンテナの共用化を可能にしたものである。
【００５３】
本実施の形態においては、受信判定回路１３に代えて受信判定回路２１を採用した点が第１の実施の形態と異なる。受信判定回路２１は、アンテナ３に接続され、アンテナ３に誘起したキャリアを検出する機能と、２つの通信方式の一方の信号を受信したことを検出する機能を有する。
【００５４】
例えば、受信判定回路２１は、ＦｅｌｉＣａ信号のＲＦ復調処理が可能であり、復調処理によって得られた信号にＦｅｌｉＣａ信号に含まれるプリアンブルが含まれていることを検出した場合には、アンテナ３によってＦｅｌｉＣａ信号を受信しているものと判定する。また、受信判定回路２１は、アンテナ３に誘起したキャリアを検出していても、ＦｅｌｉＣａ信号の受信を検出することができない場合には、ＴｙｐｅＡ／ＴｙｐｅＢ信号の受信中であるものと判定する。また、受信判定回路２１は、アンテナ３にキャリアが誘起していることを検出できない場合には、ＦｅｌｉＣａ信号及びＴｙｐｅＡ／ＴｙｐｅＢ信号のいずれも受信中でないものと判定する。受信判定回路２１は、受信範囲結果をスイッチ切換回路１１に出力する。
【００５５】
このように構成された実施の形態においては、受信判定回路２１によって、アンテナ３によってＦｅｌｉＣａ信号が受信されているか、ＴｙｐｅＡ／ＴｙｐｅＢ信号が受信されているか、それとも、いずれの信号も受信されていない無信号状態であるかが判定される。受信判定回路２１は、判定結果をスイッチ切換回路１１に出力する。
【００５６】
スイッチ切換回路１１は、第１の実施の形態と同様に動作する。即ち、無信号状態の場合には、スイッチＩＣＦ５，Ｔ５を交互にオンにし、いずれか一方の信号の受信中には、当該信号受信用のスイッチＩＣを継続してオンにする。こうして、本実施の形態においても、アンテナ３を共用化しながら、ＦｅｌｉＣａ信号及びＴｙｐｅＡ／ＴｙｐｅＢ信号の受信が可能である。
【００５７】
このように本実施の形態においても、第１の実施の形態と同様の効果を得ることができる。また、本実施の形態においては、通信用のＬＳＩから受信を確認するための認識信号が出力されない場合でも、受信中の信号を判定可能である。
【００５８】
（第３の実施の形態）
図５は本発明の第３の実施の形態に係る近接無線送受信装置を示すブロック図である。図５において図１と同一の構成要素には同一符号を付して説明を省略する。
【００５９】
第２の実施の形態においては、２つの通信用のＬＳＩから認識信号が出力されない例を示した。本実施の形態は、２つの通信用のＬＳＩのうちの一方のＬＳＩからは認識信号が得られる場合の例を示している。
【００６０】
受信判定回路１３には、通信部Ｆ１，Ｔ１のうちの一方、図５の例では通信部Ｆ１からのみ認識信号が与えられる。受信判定回路１３は、認識信号により、ＦｅｌｉＣａ信号が受信されているか否かを示す判定結果をスイッチ切換回路１１に出力する。
【００６１】
受信判定回路２５は、アンテナ３に接続され、アンテナ３に誘起したキャリアを検出する機能を有する。受信判定回路２５は、アンテナ３にキャリアが誘起しいるか否かを示す判定結果をスイッチ切換回路１１に出力する。
【００６２】
スイッチ切換回路１１は、受信判定回路１３の判定結果によってＦｅｌｉＣａ信号を受信しているか否かを判定する。また、スイッチ切換回路１１は、受信判定回路２５からアンテナ３にキャリアが誘起していることが示される一方、受信判定回路１３からはＦｅｌｉＣａ信号を受信していない判定結果が出力されている場合には、ＴｙｐｅＡ／ＴｙｐｅＢ信号の受信中であるものと判定する。また、スイッチ切換回路１１は、受信判定回路２５によってアンテナ３にキャリアが誘起していることが検出されない場合には、ＦｅｌｉＣａ信号及びＴｙｐｅＡ／ＴｙｐｅＢ信号のいずれも受信中でないものと判定する。
【００６３】
このように構成された実施の形態においては、スイッチ切換回路１１は、受信判定回路１３，２５の判定結果に基づいて、アンテナ３によってＦｅｌｉＣａ信号が受信されているか、ＴｙｐｅＡ／ＴｙｐｅＢ信号が受信されているか、それとも、いずれの信号も受信されていない無信号状態であるかを判定する。
【００６４】
スイッチ切換回路１１は、第１の実施の形態と同様に動作する。即ち、無信号状態の場合には、スイッチＩＣＦ５，Ｔ５を交互にオンにし、いずれか一方の信号の受信中には、当該信号受信用のスイッチＩＣを継続してオンにする。こうして、本実施の形態においても、アンテナ３を共用化しながら、ＦｅｌｉＣａ信号及びＴｙｐｅＡ／ＴｙｐｅＢ信号の受信が可能である。
【００６５】
このように本実施の形態においても、第１の実施の形態と同様の効果を得ることができる。また、本実施の形態においては、通信用のＬＳＩの一方から受信を確認するための認識信号が出力されない場合でも、受信中の信号を判定可能である。また、受信判定回路１３，２５は、各通信方式の復調処理を行う必要はないことから、受信判定回路２１に比べて回路規模を小さくすることができる。
【００６６】
このように上記各実施の形態においては、モバイルＦｅｌｉＣａに加え、ＴｙｐｅＡ／ＴｙｐｅＢのシステムを同一回路で実現する近接無線受信装置を実現することができる。受信判定回路、スイッチ切換回路、スイッチＩＣを追加する、比較的簡単な構成によって、既存のＦｅｌｉＣａ用及びＴｙｐｅＡ／ＴｙｐｅＢ用の設計資産を継承することができる。また、外付け回路としては、アンテナだけが共通であるため、ＦｅｌｉＣａチップとＴｙｐｅＡ／ＴｙｐｅＢチップはお互いの特性に干渉されることがなく単独チップと同等の特性を実現可能である。また、スイッチのオン，オフの切り替わり時間を調整することで、顧客要求に最適なシステム応答速度を実現できる。更に、不要のＬＳＩの電源のオン，オフを同時に制御することでシステムの消費電力を抑えることが可能である。
【００６７】
なお、上記各実施の形態においては、ＦｅｌｉＣａ信号及びＴｙｐｅＡ／ＴｙｐｅＢ信号の受信用の回路を構成する例について説明したが、他の通信方式にも同様に適用可能であり、２種類だけでなく３種類以上の通信方式にも同様に適用可能である。
【００６８】
なお、本発明は、上記実施形態に限定されるものではなく、実施段階ではその要旨を逸脱しない範囲で種々に変形することが可能である。また、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００６９】
３…アンテナ、Ｆ１，Ｔ１…通信部、Ｆ１ａ，Ｔ１ａ…ＣＬＦ回路、Ｆ１ｂ，Ｔ１ｂ…ＳＥ回路、Ｆ２，Ｔ２…周辺回路、Ｆ５，Ｔ５…スイッチＩＣ、１１…スイッチ回路、１３…受信判定回路。
【図１】
2015032957.tif 000003
【図２】
2015032957.tif 000004
【図３】
2015032957.tif 000005
【図４】
2015032957.tif 000006
【図５】
2015032957.tif 000007